(57)【特許請求の範囲】
【請求項１】
河川又は海岸の浅瀬に杭孔を複数開口した平板状根固めブロックを複数敷設し、隣接した根固めブロック同士を傾きと小さな移動を許容できるように緩連結し、同根固めブロック上に石を空隙があるように多数個積載し、同石の移動と崩落を防ぐ位置及び根固めブロック自体の河床面・海底面からの移動を防止する位置の根固めブロックの杭孔中に杭を打ち込んで、河床・海底面の洗堀を防ぐとともに魚巣効果を高めたことを特徴とする杭を用いた床止め工法。
【請求項２】
河床又は海岸の浅瀬に杭孔を複数開口した平板状根固めブロックを複数敷設し、隣接した根固めブロック同士を傾きと小さな移動を許容できるように緩連結し、同杭孔に杭頭が水面下となる高さに杭を打ち込んで根固めブロックを河川又は海の底面に固定して底面の洗掘を防ぐとともに水流に滞みを生起させることを特徴とする杭を用いた床止め工法。
【請求項３】
河川又は海岸の浅瀬に杭孔を複数開口した平板状根固めブロックを複数敷設し、隣接した根固めブロック同士を傾きと小さな移動を許容できるように緩連結し、同杭孔に杭頭が水面上よりやや突出する高さに長い杭を打ち込んで根固めブロックを河川又は海の底面に固定して底面の洗堀を防ぐとともに、水流に滞みを生起させるとともに鳥類の止木とすることを特徴とする杭を用いた床止め工法。
【請求項４】
河川の上流側から下流側に向けて、杭孔を複数開口した平板状根固めブロックを複数の小さな段差で段階的に敷き並べ、隣接した根固めブロック同士を傾きと小さな移動を許容できるように緩連結し、同根固めブロック上に石を空隙があるように多数積載し、しかも根固めブロックの段差の位置で堰が形成されるように石を並べ、同石の移動と崩落を防ぐ位置及び根固めブロック自体の移動を防止する位置の根固めブロックの杭孔に杭を打ち込んで、河川の水の流れに瀬と淵を自然風に形成するようにしたことを特徴とする杭を用いた床止め工法。
【請求項５】
河川の水衝部の位置に根固めブロックを敷設する請求項１又は２何れか記載の杭を用いた床止め工法。
【請求項６】
請求項２又は３記載の床止め工法の根固めブロックを河川の水際近くの浅瀬に所定距離離して複数個所施工し、根固めブロック上に河川の土砂を自然堆積させて岸と連続した自然の洲を形成し、河川の水際が蛇行状に曲らせるようにできる河川水制工法。
【発明の詳細な説明】
【０００１】
【発明の属する技術分野】
本発明は、河川・海岸の浅瀬の洗堀を防ぎ、動物・植物の生息環境を保全できる床止め工法・河川水制工法に関する。
【０００２】
【従来の技術】
従来、河川・海岸の洗堀防止・護岸の為には、コンクリートブロックで堤体を構築し、河床・海面には根固めコンクリートブロックを敷くものである。又川の堰も落差の大きい現場打ちのコンクリートで堰体を構築するものであった。
この従来の床止め工法・根固め構造では、堤体と河床面海底面とは高さが連続していず、堤体の下端はある程度深い河床面・海底面となっていた。
そのため、堤体から連続した洲・砂浜・ワンドのある水際は形成されず、これらの水際に植生する植物・及び水際の生物の生息の環境が失なわれていた。又、根固めブロック及び堤体ブロックはコンクリートブロックを間隙少なく並べて河床・海床・堤体を構築するものであり、そこには小動物が生棲するに適した空隙・空間が少なく、水の流れの淀み・変化もなく、又植物の自生も少なく、生物の多様性ある生存を許容できる空間となっていなかった。
又、河川の現場打ち成形のコンクリート堰は、落差が大きく魚の上流への移動が難しく、又魚が落下するとき落差が大きく魚を傷めやすい。特に稚魚にとって従来のコンクリート堰は大きな移動の障害となっていた。
【０００３】
【発明が解決しようとする課題】
本発明が解決しようとする課題は、従来のこれらの問題点を解消し、多様な動物・植物の生物の生存を許容して自然環境を保全しながら、河道・河床・瀬・淵の保全を行う杭を用いた根固め工法及び河川水制工法を提供することにある。
【０００４】
【課題を解決するための手段】
かかる課題を解決した本発明の構成は、
１）  河川又は海岸の浅瀬に杭孔を複数開口した平板状根固めブロックを複数敷設し、隣接した根固めブロック同士を傾きと小さな移動を許容できるように緩連結し、同根固めブロック上に石を空隙があるように多数個積載し、同石の移動と崩落を防ぐ位置及び根固めブロック自体の河床面・海底面からの移動を防止する位置の根固めブロックの杭孔中に杭を打ち込んで、河床・海底面の洗堀を防ぐとともに魚巣効果を高めたことを特徴とする杭を用いた床止め工法
２）  河床又は海岸の浅瀬に杭孔を複数開口した平板状根固めブロックを複数敷設し、隣接した根固めブロック同士を傾きと小さな移動を許容できるように緩連結し、同杭孔に杭頭が水面下となる高さに杭を打ち込んで根固めブロックを河川又は海の底面に固定して底面の洗掘を防ぐとともに水流に滞みを生起させることを特徴とする杭を用いた床止め工法
３）  河川又は海岸の浅瀬に杭孔を複数開口した平板状根固めブロックを複数敷設し、隣接した根固めブロック同士を傾きと小さな移動を許容できるように緩連結し、同杭孔に杭頭が水面上よりやや突出する高さに長い杭を打ち込んで根固めブロックを河川又は海の底面に固定して底面の洗堀を防ぐとともに、水流に滞みを生起させるとともに鳥類の止木とすることを特徴とする杭を用いた床止め工法
４）  河川の上流側から下流側に向けて、杭孔を複数開口した平板状根固めブロックを複数の小さな段差で段階的に敷き並べ、隣接した根固めブロック同士を傾きと小さな移動を許容できるように緩連結し、同根固めブロック上に石を空隙があるように多数積載し、しかも根固めブロックの段差の位置で堰が形成されるように石を並べ、同石の移動と崩落を防ぐ位置及び根固めブロック自体の移動を防止する位置の根固めブロックの杭孔に杭を打ち込んで、河川の水の流れに瀬と淵を自然風に形成するようにしたことを特徴とする杭を用いた床止め工法
５）  河川の水衝部の位置に根固めブロックを敷設する前記１）又は２）何れか記載の杭を用いた床止め工法
６）  前記２）又は３）記載の床止め工法の根固めブロックを河川の水際近くの浅瀬に所定距離離して複数個所施工し、根固めブロック上に河川の土砂を自然堆積させて岸と連続した自然の洲を形成し、河川の水際が蛇行状に曲らせるようにできる河川水制工法
にある。
【０００５】
【作用】
本発明では、平板状根固めブロックを河川・海岸の浅瀬の河床面に複数敷設し、その杭孔に杭を河床地盤へ打ち込んで根固めブロックが水流で移動しないように固定し、根固めブロックで河床・海底の洗堀を防止する。
隣接する根固めブロック同士は、対向する側面中央に設けた陥凹部中の連結金具をシャックル等で緩連結し、傾き及び小さい移動を許容するので、根固めブロックが正確な平面でない、凹凸のある又は湾曲・傾きのある河床・海床に敷かれても連結できる。連結されることで根固めブロックの配列が崩れることがなく又移動も少なくできる。又敷設後の根固めブロックの多少の傾き・移動を許容でき、根固めブロックの大きな破損・崩壊を防いでいる。
次にこの根固めブロックに大小の石を積載し、石の間に水の小さな流れ・水の淀み・小動物の通過・住処等を許容する空隙を作り出して、多様な小動物の生息環境を整え、魚巣効果が高くなる。又陸上部では植生回帰の効果をもたらす。
根固めブロック上の石は、根固めブロックの杭孔に打ち込まれた杭によって移動・積載崩れがないように保持される。根固めブロックの杭は、又水の流れを緩め、魚及び水生生物の生息状態をよくし、又杭頭が水面上に突出するようにすれば、鳥等の止り木となる。
河川の中で、根固めブロックを小さな段差で階段状敷設し、同根固めブロック上に石を積載することで、小さな瀬と堰・淵を作り、小動物が生息し易くし、又下流から上流への移動並びに上流から下流への移動も落下による魚の損傷を少なくし、稚魚の移動も容易ならしめる。又、落差による瀑気と礫間の接触酸化による自然浄化作用が促進される。
【０００６】
【発明の実施の形態】
本発明では、平板状根固めブロックとしては、１．５ｍ×１．５ｍ×０．２５ｍ程のコンクリート製のものが実用的であり、根固めブロックには、その平面の中心とその中心対称の位置に孔を穿孔し、又外周側面に断面半円状の陥凹部を側面中央に設け、隅部に断面１／４円の陥凹部を設けるのが点対称となって、同型のものを前後左右配列しても半円状陥凹部、１／４円の陥凹部が合体して円形の杭孔を形成できるので望ましい。
根固めブロックの側面中央の陥凹部には、緩連結手段としてＵ字状の連結金具を取り付け、隣接する根固めブロックの対向する陥凹部内で一対の連結金具をシャックルで連係するのが実用的である。
杭としては、１〜４ｍ程の長さの水中で腐食しない松杭又はコンクリート杭が使用できる。
【０００７】
【実施例】
以下、本発明の実施例を図面に基づいて説明する。
図１は、実施例に使用する根固めブロックの平面図である。
図２は、実施例に使用する根固めブロックの側面図である。
図３は、実施例に使用する根固めブロックの正面図である。
図４は、実施例の根固めブロックの配列状態例を示す平面図である。
図５は、淵の保全の根固め工法の実施例を示す説明図である。
図６は、杭出しの根固め工法の実施例工法を示す説明図である。
図７は、図６の実施例の河川の水衝部への配置を示す説明図である。
図８は、図７の施工の実施例の水際の変遷を示す説明図である。
図９は、根固めブロックを段差を設けて段階的に敷設して堰を形成した実施例を示す説明図である。
図１０は、図９の実施例の斜視図である。
図１１は、石を水面以上に積載した水制の実施例工法を示す説明図である。
図１２は、実施例の杭を用いた床止め工法の例を示す平面図である。
図１３は、図１２のＸ−Ｘ断面図である。
図１４は、図１２の実施例の根固めブロックの敷設状態を示す平面図である。
図１５は、図１２のＹ−Ｙ断面図である。
図中、１は本発明の実施例の鉄筋を入れたコンクリート製の根固めブロックである。１ａは根固めブロック１の２５０ｍｍ直径の杭孔、１ｂは根固めのブロック１の側面中央の断面半円状陥凹部、１ｃは陥凹部１ｂ内に取付けたＵ字状連結金具で、その取付高さは左右・前後で少し変えていて、しかも側面から少し突き出すようになっている。１ｄは根固めブロック１の隅部に形成された断面１／４円状の陥凹部、１ｅはシャックル、２は松杭、３は石、４は河床、５は河川の水衝部、６は計画河床高さ、７は河川、８は段差部、９は堰、１０は淵、１１は堤体、１２は堆積砂、１３は植物である。図５，６に示す実施例は、河川７の水衝部５の３個所に図１〜３に示す根固めブロック１を２列敷設し、この上に複数の石３を積載した例である。この実施例は根固めブロック１群とその上の石３が水流による河床４の洗堀を防ぐ。又石３の間に空隙があり、又石３及び松杭２によって、瀬と淵が生じることで魚の遡上及び魚巣効果を得ることができる。
又、本例及び他の実施例も同様であるが、隣接する根固めブロック１の側面の陥凹部１ｂは対向し、略円形状の穴の空間を形成し、その空間内に各ブロックの連結金具１ｃが突き当らないように上下差で重なり、シャックル１ｅで互に連結されていて、根固めブロック１の多少の移動及び傾きがあっても許容して連結状態を保持できるように緩連結されている。
これによって、水流・地盤変動・波の力等によって河床・海床・根固めブロックが変化・変位して、この上の根固めブロック１が多少移動したり、傾きが変ってもこれを許容しながら根固めブロック１の連結状態を保持する。又、この緩連結によって根固めブロック１の大きな移動・傾きは阻止され、ブロックの配列状態の大きな崩れを防止し、長年数の床止めの機能を保持する。次に松杭２はボルト（図示せず）を貫通して雌ねじ孔に螺合して根固めブロック１に固定され、松杭２によって根固めブロック１を河床４に固定して移動しないようにするとともに、上の石３が移動しないようにしている。
又、石３はその自重により水の流速への抵抗となる。水の流速に対する対応は、根固めブロック１の自重と石３の自重と松杭２の抵抗とこれらの連結によってなされる。根固めブロック１の自重のみでは対応できない。又石３の自重と松杭２の抵抗によって根固めブロック１の自重を低く抑えることができ、根固めブロック１の据付施工を容易にする。本ブロックの特徴は、自重を軽くして施工性を向上させたことと、杭及び間詰め石の自重にて流速へ対応させたものであるが、流速が大なる箇所では杭の配置替えによる大粒径石の設置や、ブロック自体の重量増加により対応させることができる。
又、図６に示すように松杭２の杭頭を水面上になるようにすれば、鳥・昆虫の止り木となる。
図７に示す河川７の岸に近い浅い瀬に設置された実施例で、根固めブロック１を多数敷設し、その杭孔１ａに松杭２を打ち込んで河床４に固定し、松杭２を計画河床高さ６より高い水面上まで突出するようにした例である。
図７の例では、松杭２は水流に渦を生起して水の流れを弱め、この上に土砂が堆積させ易くし、堤と繋がった洲を形成し、蛇行した凹凸のある自然な水際の自然を回復させることができる。図８（ａ）はこの図７の実施例の施工直後の状態であり、これが数年後には図８（ｂ）の如く土砂が実施例の根固めブロック１に多く堆積し、砂洲の出入りが発生してくる。更にこれに植物が自生し、又一部の砂洲が中洲となっていき、地形が複雑になり、又植物・動物も多種となって、多様性のある自然な水際・ビオトープが出現する。松杭４はカモ・サギ・シギ等の鳥の止り木となる。魚としては、アユ・コイ・フナ・メダカ等が生息し易くなる。
図９，１０に示す実施例は河川に小さな段差をもって根固めブロック１を段階的に敷き並べ、根固めブロック１に石３を多数積載して、小さい溜りと段差部８に堰９と淵を多く形成している。根固めブロック１の杭孔１ａに松杭４を打ち込んで根固めブロック１の移動を止めるとともに、石３の移動を防いでいる。この図９，１０に示す実施例では、水の流れの落差が小さいので魚・遊泳力のない稚魚や底生生物の上流への移動は容易であり、又下降時の落下の魚の損傷を少なくし、又小さい溜りの瀬及び堰・淵に種々の魚を生息できる環境を作り出す。又石３の空隙は小さな稚魚の安全な場所を提供できる。
図１１に示す実施例は、根固めブロック１群の上に石３を水面以上高く積載した水制の例であり、石３は下方は小さく上方は大きくしている。この例は石３の間に種々の大きさの空隙を作り出して小魚・稚魚・昆虫の住みかを与える。上方の大きな石３は下方の小さな石３の移動を少なくするようにしている。
図１２，１３，１４，１５に示す実施例は、河川の床止め工法の例で、傾斜した河床に根固めブロック１をＨ字状に配列し、河中央の根固めブロック１の石３を低く積み、堤側の根固めブロック１の石３を高く積み、河の水量が小さくなっても河中央に水を集めて所定の水深を確保するようにして、魚の移動水路を確保する。又堤側の根固めブロック１上の水流は遅く、河中央は水流が速くなり瀬Ｓを創出し、稚魚・小動物・昆虫と成魚・大形魚との住み分けを可能としている。河中央の根固めブロック１の下流には洗掘によって淵が形成され、水流の落下による酸素の溶け込みを増大させ、又水深の深い領域を作り出す。
【０００８】
【発明の効果】
以上の様に、本発明によれば根固めブロックを河床・海底に敷き並べてブロック同士を緩連結し、杭孔に杭を打ち込んで固定することで、多少のブロックの移動傾きを許容し、大きな移動・傾きを防止して長くブロック配列を保持でき、河床・海底の洗堀を防ぎ、又この上に石を積むことで水の流れを変え、石間の空隙によって魚の生息環境を良好にし、又杭によって石の移動・崩落を防ぐようにできる。又石と杭によって、根固めブロックの自重を低く抑えることができ、据付施工、運送を容易にする。
杭を用いた根固めブロックを用いることで淵・瀬の洗堀を防ぎながら魚の生息の良好な環境を作り出すとともに、堤から連続的に繋がった河川へ張り出した洲を形成でき、連続した動植物の多い水際の状態を作り出すことができる。又水面から突出した杭頭で鳥の止りの場所を与えることができる。
更に、小さな段差で根固めブロックを段階的に敷設すれば、小さな溜りの瀬と小さな堰・淵を多く作り出し、稚魚・底生生物の上流への移動を容易とし、且つその生息環境を用意できるものとなる。
【図面の簡単な説明】
【図１】実施例に使用する根固めブロックの平面図である。
【図２】実施例に使用する根固めブロックの側面図である。
【図３】実施例に使用する根固めブロックの正面図である。
【図４】実施例の根固めブロックの配列状態例を示す平面図である。
【図５】淵の保全の根固め工法の実施例を示す説明図である。
【図６】杭出しの根固め工法の実施例工法を示す説明図である。
【図７】図６の実施例の河川の水衝部への配置を示す説明図である。
【図８】図７の施工の実施例の水際の変遷を示す説明図である。
【図９】根固めブロックを段差を設けて段階的に敷設して堰を形成した実施例を示す説明図である。
【図１０】図９の実施例の斜視図である。
【図１１】石を水面以上に積載した水制の実施例工法を示す説明図である。
【図１２】実施例の杭を用いた床止め工法の例を示す平面図である。
【図１３】図１２のＸ−Ｘ断面図である。
【図１４】図１２の実施例の根固めブロックの敷設状態を示す平面図である。
【図１５】図１２のＹ−Ｙ断面図である。
【図１６】本発明の岸に近い位置での根固め工法の実施例を示す説明図である。
【符号の説明】
１    根固めブロック
１ａ  杭孔
１ｂ  陥凹部
１ｃ  連結金具
１ｄ  陥凹部
１ｅ  シャックル
２    松杭
３    石
４    河床
５    水衝部
６    計画河床高さ
７    河川
８    段差部
９    堰
１０    淵
１１    堤体
１２    堆積砂
１３    植物
【図１】
0003566850.tif 000002
【図２】
0003566850.tif 000003
【図３】
0003566850.tif 000004
【図４】
0003566850.tif 000005
【図５】
0003566850.tif 000006
【図６】
0003566850.tif 000007
【図７】
0003566850.tif 000008
【図８】
0003566850.tif 000009
【図９】
0003566850.tif 000010
【図１０】
0003566850.tif 000011
【図１１】
0003566850.tif 000012
【図１２】
0003566850.tif 000013
【図１３】
0003566850.tif 000014
【図１４】
0003566850.tif 000015
【図１５】
0003566850.tif 000016
【図１６】
0003566850.tif 000017